(57)【特許請求の範囲】
【請求項１】
外枠と、前記外枠内に回転自在に軸支された略円筒形の回転ドラムと、前記回転ドラムを回転させるモータと、前記回転ドラム内へ空気を送風する送風ファンと、前記送風ファンから送風された空気を加熱して熱風とする熱源と、前記回転ドラムの内面に設けられ合成樹脂で形成された衣類撹拌用の複数個のバッフルとを備え、前記回転ドラムは、前方ドラム、後方ドラムおよび胴部ドラムより構成され、前記胴部ドラムは、鋼板で形成された内ドラムと外ドラムとにより構成され、前記外ドラムには角穴が設けられ、前記バッフルに設けられた爪が前記角穴に挿入された後スライドされることにより前記バッフルが前記外ドラムに仮固定され、前記内ドラムは、前記バッフルと同じ数に分割されるとともに、周方向の両端部が前記バッフルの両側面に設けた溝部に挿入されることで前記バッフル相互間の前記外ドラムの内面側に配設され、前記内ドラムと前記外ドラムの向かい合う面の少なくとも一方には、凸部、凹部の少なくとも一方を形成し、かつ、前記外ドラムおよび前記内ドラムの前後両端部をそれぞれ重ねて前記前方ドラムの外周部に形成した溝部および後方ドラムの外周部に形成した溝部にそれぞれ挿入しそれぞれの前記溝部を加締めることで、前記前方ドラム、外ドラム、内ドラムおよび後方ドラムを一体化して固定した衣類乾燥機。
【請求項２】
内ドラムはステンレス鋼板で形成し、外ドラムは亜鉛鋼板等の耐食性を有する鋼板で形成した請求項１記載の衣類乾燥機。
【請求項３】
内ドラムは、バッフルの溝部に挿入される端部近傍に周方向寸法を調節する屈曲部を形成した請求項１または２に記載の衣類乾燥機。
【発明の詳細な説明】
【０００１】
【発明の属する技術分野】
本発明は、回転ドラム内に熱源からの熱風を導き衣類を乾燥させる衣類乾燥機に関するものである。
【０００２】
【従来の技術】
従来、この種の衣類乾燥機は図６に示すように構成していた。以下、その構成について説明する。
【０００３】
図に示すように、外枠１は、内部に回転ドラム２を回転自在に配設し、この回転ドラム２への衣類投入口３を外枠１の前面に形成している。送風ファン４は、回転ドラム２の後方にシャフト５により軸支しており、モータ６の回転をベルト７、８を介して回転ドラム２および送風ファン４に伝達し、ヒータ９にて加熱された熱風を回転ドラム２内に送風するよう構成している。
【０００４】
回転ドラム２は、鋼板で構成した前方ドラム２ａ、後方ドラム２ｂおよび胴部ドラム２ｃからなり、胴部ドラム２ｃは、前方ドラム２ａおよび後方ドラム２ｂの外周部に形成された溝部に挿入した後、挿入部を加締めることにより一体化し、胴部ドラム２ｃには、衣類撹拌用のバッフル１０を複数個配設するのが一般的である。
【０００５】
【発明が解決しようとする課題】
しかしながら、このような従来の構成では、乾燥するために回転ドラム２内に投入された衣類のボタンやファスナー等が、回転ドラム２の回転により回転ドラム２の内壁に衝突する音が大きいという不都合があったり、衣類の乾燥に供するために回転ドラム２内に送り込まれた熱風が、衣類を加熱し乾燥させるためだけに供されず、回転ドラム２の加熱にも供され、この熱が回転ドラム２の外壁から外部に放散されやすい構成であり、熱効率が低いという不都合もあった。
【０００６】
また、これらの不都合点を解消するために、鋼板と鋼板の間に合成樹脂製のフィルムを介在させた、いわゆる制振鋼板を使用することが試みられたり、回転ドラム２の内壁面に発泡性の合成樹脂シートを貼り付ける等が試みられたりしているが、材料費が高価となり、実用化しにくいものであった。
【０００７】
また、鋼板で形成した回転ドラムを使用した場合は、亜鉛めっき等の表面処理を行っても、運転中に表面に傷がつく等により腐食へ発展していき、内面に発泡材を貼り付けした場合でも、傷付きの発生および、色付きの衣類からの移染等があり、清潔感に乏しいという不都合もあった。
【０００８】
また、衣類撹拌用のバッフルは運転中に、熱とともに大きな応力を受けるため、支持部において変形したり、回転ドラムとの間に隙間が発生し衣類がかみ込むという不都合もあった。
【０００９】
本発明は上記従来の課題を解決するもので、回転ドラムの内壁への衣類のボタンやファスナーの衝突音を低減し運転時の騒音を低減するとともに、運転時に熱源により加熱された熱風の熱が回転ドラム外壁から放散するのを低減し、乾燥効率を向上することを目的としている。
【００１０】
【課題を解決するための手段】
本発明は上記目的を達成するために、外枠内に回転自在に軸支されモータにより回転される略円筒形の回転ドラム内に、送風ファンにより送風された空気を熱源により加熱して熱風として送風し、回転ドラムの内面に合成樹脂で形成された衣類撹拌用の複数個のバッフルを設け、回転ドラムは、前方ドラム、後方ドラムおよび胴部ドラムより構成され、胴部ドラムは、鋼板で形成された内ドラムと外ドラムとにより構成され、外ドラムには角穴が設けられ、バッフルに設けられた爪が角穴に挿入された後スライドされることによりバッフルが外ドラムに仮固定され、内ドラムは、バッフルと同じ数に分割されるとともに、周方向の両端部がバッフルの両側面に設けた溝部に挿入されることでバッフル相互間の外ドラムの内面側に配設され、内ドラムと外ドラムの向かい合う面の少なくとも一方には、凸部、凹部の少なくとも一方を形成し、かつ、外ドラムおよび内ドラムの前後両端部をそれぞれ重ねて前方ドラムの外周部に形成した溝部および後方ドラムの外周部に形成した溝部にそれぞれ挿入しそれぞれの溝部を加締めることで、前方ドラム、外ドラム、内ドラムおよび後方ドラムを一体化して固定したものである。
【００１１】
これにより、回転ドラムの内壁への衣類のボタンやファスナーの衝突音を低減でき、運転時の騒音を低減することができるとともに、運転時に熱源により加熱された熱風の熱が回転ドラム外壁から放散するのを低減し、乾燥効率を向上することができる。
【００１２】
【発明の実施の形態】
本発明の請求項１に記載の発明は、外枠と、前記外枠内に回転自在に軸支された略円筒形の回転ドラムと、前記回転ドラムを回転させるモータと、前記回転ドラム内へ空気を送風する送風ファンと、前記送風ファンから送風された空気を加熱して熱風とする熱源と、前記回転ドラムの内面に設けられ合成樹脂で形成された衣類撹拌用の複数個のバッフルとを備え、前記回転ドラムは、前方ドラム、後方ドラムおよび胴部ドラムより構成され、前記胴部ドラムは、鋼板で形成された内ドラムと外ドラムとにより構成され、前記外ドラムには角穴が設けられ、前記バッフルに設けられた爪が前記角穴に挿入された後スライドされることにより前記バッフルが前記外ドラムに仮固定され、前記内ドラムは、前記バッフルと同じ数に分割されるとともに、周方向の両端部が前記バッフルの両側面に設けた溝部に挿入されることで前記バッフル相互間の前記外ドラムの内面側に配設され、前記内ドラムと前記外ドラムの向かい合う面の少なくとも一方には、凸部、凹部の少なくとも一方を形成し、かつ、前記外ドラムおよび前記内ドラムの前後両端部をそれぞれ重ねて前記前方ドラムの外周部に形成した溝部および後方ドラムの外周部に形成した溝部にそれぞれ挿入しそれぞれの前記溝部を加締めることで、前記前方ドラム、外ドラム、内ドラムおよび後方ドラムを一体化して固定したものであり、回転ドラムの内壁への衣類のボタンやファスナーの衝突音を低減でき、運転時の騒音を低減することができるとともに、運転時に熱源により加熱された熱風の熱が回転ドラム外壁から放散するのを低減し、乾燥効率を向上することができ、また、内ドラムと外ドラムとを重ね合わせて、前後両端部を前記前方ドラムと後方ドラムにそれぞれ固定することにより、空気層を形成することができ、内ドラムと外ドラムとの間を断熱することができ、さらに、衣類撹拌用のバッフルを確実、かつ堅牢に支持することができるとともに、バッフル支持部における回転ドラム内外の気密性を高めることができる。
【００１３】
請求項２に記載の発明は、上記請求項１に記載の発明において、内ドラムはステンレス鋼板で形成し、外ドラムは亜鉛鋼板等の耐食性を有する鋼板で形成したものであり、高い剛性を有しながら、回転ドラムの内面を傷つきにくく、清潔感があり、耐食性の高い回転ドラムとすることができる。
【００１４】
請求項３に記載の発明は、上記請求項１または２に記載の発明において、内ドラムは、バッフルの溝部に挿入される端部近傍に周方向寸法を調節する屈曲部を形成したものであり、屈曲部により内ドラムの周方向の長さを調整することができ、胴部ドラムを構成する内ドラムの取りつけ作業を容易に行うことができる。
【００１５】
【実施例】
以下、本発明の実施例について、図面を参照しながら説明する。
【００１６】
（実施例１）
図１に示すように、外枠１１は、内部に略円筒形の回転ドラム１２を回転自在に配設し、この回転ドラム１２への衣類投入口１３を外枠１１の前面に形成している。送風ファン１４は、回転ドラム１２の後方にシャフト１５により軸支しており、モータ１６の回転をベルト１７、１８を介して回転ドラム１２および送風ファン１４に伝達し、ヒータ（熱源）１９にて加熱された熱風を衣類撹拌用のバッフル２０を介して回転ドラム１２内に送風するよう構成している。
【００１７】
回転ドラム１２は、鋼板で構成した前方ドラム２１、後方ドラム２２および胴部ドラム２３からなり、胴部ドラム２３は、内ドラム２３ａと外ドラム２３ｂの２枚の鋼板を重ね合わせて構成し、図２に示すように、前方ドラム２１の外周部に形成した溝部２４に挿入した後、挿入部を加締めることにより一体化し、後方ドラム２２も同様にして、加締めることにより一体化している。
【００１８】
また、胴部ドラム２３は、内ドラム２３ａをステンレス鋼板、外ドラム２３ｂを亜鉛鋼板等の耐食性を有する鋼板にて構成している。
【００１９】
上記構成において動作を説明すると、衣類投入口１３より回転ドラム１２内に衣類を投入して運転を開始すると、モータ１６により回転ドラム１２と送風ファン１４を回転させ、同時にヒータ１９に通電して加熱した熱風をバッフル２０を介して回転ドラム１２内へ導き、排出することにより、回転ドラム１２内の衣類を乾燥させる。
【００２０】
このとき、胴部ドラム２３は、内ドラム２３ａと外ドラム２３ｂの２枚の鋼板を重ね合わせて構成し、内ドラム２３ａと外ドラム２３ｂは前後端部にて一体に加締められてはいるが、その他の箇所では、接触しているのみであることから、回転ドラム１２内で衣類を撹拌した際の回転ドラム１２の内壁面への衣類の落下衝突時の衝撃を減衰させることができ、運転時の騒音を低減することができる。
【００２１】
また、胴部ドラム２３は、内ドラム２３ａをステンレス鋼板、外ドラム２３ｂを亜鉛鋼板等の耐食性を有する鋼板にて構成しているので、高い剛性を有しながら、回転ドラムの内面を傷つきにくく、清潔感があり、耐食性の高い回転ドラムとすることができる。
【００２２】
（実施例２）
図３に示すように、胴部ドラム２５は、内ドラム２５ａと外ドラム２５ｂの２枚の鋼板を重ね合わせて構成し、内ドラム２５ａと外ドラム２５ｂの向かい合う面の内ドラム２５ａに複数個の凹凸部２６を設け、内ドラム２５ａと外ドラム２５ｂとの間に、空気層２７を形成している。他の構成は上記実施例１と同じである。
【００２３】
上記構成において作用を説明すると、胴部ドラム２５を構成する内ドラム２５ａと外ドラム２５ｂの向かい合う面の内ドラム２５ａに複数個の凹凸部２６を設け、内ドラム２５ａと外ドラム２５ｂとの間に空気層２７を形成しているので、内ドラム２５ａと外ドラム２５ｂとの間は空気層２７によって断熱されるため、ヒータにより加熱された熱風の熱が回転ドラムの外壁から放散するのを低減することができ、熱源の効率を高め、乾燥効率を向上することができる。
【００２４】
なお、本実施例では、内ドラム２５ａに複数個の凹凸部２６を設けて空気層２７を形成しているが、内ドラム２５ａと外ドラム２５ｂの一方または双方に複数個の凹凸部を設けることによっても、同様に空気層２７を形成することができる。
【００２５】
また、内ドラム２５ａをステンレス鋼板、外ドラム２５ｂを亜鉛鋼板等の耐食性を有する鋼板にて構成することで、高い剛性を有しながら、回転ドラムの内面を傷つきにくく、清潔感があり、耐食性の高い回転ドラムとすることができる。
【００２６】
（実施例３）
図４に示すように、衣類撹拌用のバッフル２８は、合成樹脂で構成して爪２８ａを設けており、胴部ドラム２９を構成する外ドラム２９ｂに設けた角穴２９ｃに爪２８ａを挿入した後、矢印Ａ方向にスライドさせることにより、外ドラム２９ｂに仮固定している。
【００２７】
このバッフル２８は、両側面に溝部２８ｂを設けており、胴部ドラム２９を構成する内ドラム２９ａの端部をバッフル２８の両側面に設けた溝部２８ｂに挿入するよう構成している。すなわち、本実施例では、内ドラム２９ａはバッフル２８と同じ数に分割されている。他の構成は上記実施例１または２と同じである。
【００２８】
上記構成において作用を説明すると、バッフル２８を外ドラム２９ｂに固定し、内ドラム２９ａの端部をバッフル２８の両側面に設けた溝部２８ｂに挿入するよう構成しているので、バッフル２８を確実、かつ堅牢に支持することができるとともに、バッフル２８を支持している箇所における回転ドラム内外の気密性を高めることができる。
【００２９】
（実施例４）
図５に示すように、胴部ドラムを構成する内ドラム３０ａは、外ドラム（図示せず）と向かい合う面に、空気層を形成する複数個の凹凸部３１を設け、端面３２を、上記実施例３と同様に、バッフルの両側面に設けた溝部（いずれも図示せず）に挿入するよう構成している。
【００３０】
この内ドラム３０ａは、前方ドラムおよび後方ドラム（いずれも図示せず）に加締めをなされない部分を有し、端部近傍に周方向寸法を調節する屈曲部３３を形成している。他の構成は上記実施例１〜３と同じである。
【００３１】
上記構成において作用を説明すると、内ドラム３０ａの端部近傍に周方向寸法を調節する屈曲部３３を形成しているので、屈曲部３３により内ドラム３０ａの周方向の長さを調整することができ、胴部ドラムを構成する内ドラム３０ａの取りつけ作業を容易に行うことができる。
【００３２】
【発明の効果】
以上のように本発明の請求項１に記載の発明によれば、外枠と、前記外枠内に回転自在に軸支された略円筒形の回転ドラムと、前記回転ドラムを回転させるモータと、前記回転ドラム内へ空気を送風する送風ファンと、前記送風ファンから送風された空気を加熱して熱風とする熱源と、前記回転ドラムの内面に設けられ合成樹脂で形成された衣類撹拌用の複数個のバッフルとを備え、前記回転ドラムは、前方ドラム、後方ドラムおよび胴部ドラムより構成され、前記胴部ドラムは、鋼板で形成された内ドラムと外ドラムとにより構成され、前記外ドラムには角穴が設けられ、前記バッフルに設けられた爪が前記角穴に挿入された後スライドされることにより前記バッフルが前記外ドラムに仮固定され、前記内ドラムは、前記バッフルと同じ数に分割されるとともに、周方向の両端部が前記バッフルの両側面に設けた溝部に挿入されることで前記バッフル相互間の前記外ドラムの内面側に配設され、前記内ドラムと前記外ドラムの向かい合う面の少なくとも一方には、凸部、凹部の少なくとも一方を形成し、かつ、前記外ドラムおよび前記内ドラムの前後両端部をそれぞれ重ねて前記前方ドラムの外周部に形成した溝部および後方ドラムの外周部に形成した溝部にそれぞれ挿入しそれぞれの前記溝部を加締めることで、前記前方ドラム、外ドラム、内ドラムおよび後方ドラムを一体化して固定したから、回転ドラムの内壁への衣類のボタンやファスナーの衝突音を低減でき、運転時の騒音を低減することができるとともに、運転時に熱源により加熱された熱風の熱が回転ドラム外壁から放散するのを低減し、乾燥効率を向上することができ、また、内ドラムと外ドラムとを重ね合わせて、前後両端部を前記前方ドラムと後方ドラムにそれぞれ固定することにより、空気層を形成することができ、内ドラムと外ドラムとの間を断熱することができ、さらに、衣類撹拌用のバッフルを確実、かつ堅牢に支持することができるとともに、バッフル支持部における回転ドラム内外の気密性を高めることができる。
【００３３】
また、請求項２に記載の発明によれば、内ドラムはステンレス鋼板で形成し、外ドラムは亜鉛鋼板等の耐食性を有する鋼板で形成したから、高い剛性を有しながら、回転ドラムの内面を傷つきにくく、清潔感があり、耐食性の高い回転ドラムとすることができる。
【００３４】
また、請求項３に記載の発明によれば、内ドラムは、バッフルの溝部に挿入される端部近傍に周方向寸法を調節する屈曲部を形成したから、屈曲部により内ドラムの周方向の長さを調整することができ、胴部ドラムを構成する内ドラムの取りつけ作業を容易に行うことができる。
【図面の簡単な説明】
【図１】  本発明の第１の実施例の衣類乾燥機の縦断面図
【図２】  同衣類乾燥機の要部拡大断面図
【図３】  本発明の第２の実施例の衣類乾燥機の回転ドラムの断面図
【図４】  （ａ）本発明の第３の実施例の衣類乾燥機の回転ドラムの要部断面図
（ｂ）同衣類乾燥機の回転ドラムの要部平面図
【図５】  （ａ）本発明の第４の実施例の衣類乾燥機の回転ドラムの内ドラムの平面図
（ｂ）同衣類乾燥機の回転ドラムの内ドラムのＡ−Ａ線断面図
【図６】  従来の衣類乾燥機の縦断面図
【符号の説明】
１１  外枠
１２  回転ドラム
１４  送風ファン
１９  ヒータ（熱源）
２０  衣類撹拌用のバッフル
２１  前方ドラム
２２  後方ドラム
２３  胴部ドラム
２３ａ  内ドラム
２３ｂ  外ドラム
【図１】
0003931427.tif 000002
【図２】
0003931427.tif 000003
【図３】
0003931427.tif 000004
【図４】
0003931427.tif 000005
【図５】
0003931427.tif 000006
【図６】
0003931427.tif 000007